(57)【要約】【課題】映像音声再生装置に複数の映像音声信号入出力装置を接続する場合に、映像音声信号入出力装置ごとに設定操作を行う必要があり、利便性が高いとは言えなかった。【解決手段】映像もしくは音声を含む信号を入出力する通信手段と、前記信号を出力する際の映像もしくは音声のフォーマット情報を、前記通信手段を用いて送受信するフォーマット情報通信手段と、前記フォーマット情報通信手段を通じて取得した他の映像音声信号入出力装置のフォーマット情報を用いて、出力時のフォーマット情報を決定するフォーマット情報管理手段とを有する映像音声信号入出力装置を提供することにより、映像音声信号入出力装置ごとに設定操作を行う手間を省き、ユーザの利便性を高める。【選択図】図１０
2008053772.tif 000002
【特許請求の範囲】
【請求項１】
映像もしくは音声を含む信号を入出力する通信手段と、
前記信号を出力する際の映像もしくは音声のフォーマット情報を、前記通信手段を用いて送受信するフォーマット情報通信手段と、
前記フォーマット情報通信手段を通じて取得した他の映像音声信号入出力装置のフォーマット情報を用いて、出力時のフォーマット情報を決定するフォーマット情報管理手段とを有する映像音声信号入出力装置。
【請求項２】
前記通信手段を用いて、接続された装置の種別を判別する接続装置判別手段を有し、
前記フォーマット情報管理手段は、前記接続装置判別手段により取得した装置の種別と、前記フォーマット情報通信手段により取得したフォーマット情報とを基に、出力時のフォーマット情報を決定する請求項１記載の映像音声信号入出力装置。
【請求項３】
前記通信手段は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準じた通信手段であり、
前記フォーマット情報通信手段は、ＨＤＭＩ規格で定められた信号線の１つであるＣＥＣ線（Ｔｈｅ  Ｃｏｎｓｕｍｅｒ  Ｅｌｅｃｔｒｏｎｉｃｓ  Ｃｏｎｔｒｏｌ  Ｌｉｎｅ）を用いる請求項１または２記載の映像音声信号入出力装置。
【請求項４】
映像もしくは音声を含む信号を入出力する通信ステップと、
前記信号を出力する際の映像もしくは音声のフォーマット情報を、前記通信ステップにより送受信するフォーマット情報通信ステップと、
前記フォーマット情報通信ステップにより取得した他の映像音声信号入出力装置のフォーマット情報を用いて、出力時のフォーマット情報を決定するフォーマット情報管理ステップとを含む出力フォーマット決定方法。
【請求項５】
映像もしくは音声を再生する映像音声再生装置と、映像もしくは音声信号を入出力する複数の映像音声信号入出力装置とを接続した映像音声装置ネットワークにおいて、
第１の映像音声信号入出力装置は、前記映像音声装置ネットワーク上の第２の映像音声信号入出力装置が前記映像音声再生装置に出力する際のフォーマット情報を、前記映像音声装置ネットワークを通じて、前記第２の映像音声信号入出力装置から取得し、前記取得したフォーマット情報を用いて、前記映像音声再生装置に出力する映像音声装置ネットワーク。
【発明の詳細な説明】
【技術分野】
【０００１】
本発明は、例えばＨＤＭＩ規格など、映像音声信号や付帯するデータを送受信する通信方法によって、映像音声信号の入出力を行う映像音声信号入出力装置と、それら映像音声信号入出力装置と映像を表示もしくは音声を再生する映像音声再生装置とが接続された映像音声装置ネットワークに関する。
【背景技術】
【０００２】
近年の映像信号のデジタル化の進展により、テレビやプロジェクタなどの映像音声再生装置や、デジタル放送受信用セットトップボックスやＤＶＤレコーダなどの映像音声信号入出力装置などの映像音声装置において、複数の映像音声フォーマットが使用されており、これら複数の映像音声フォーマットに対応した映像音声装置も増加している。また新たなフォーマットの提唱も継続して行われており、映像音声装置が対応する映像音声フォーマットは今後も増加していくものと考えられる。
【０００３】
現在、使用されている映像フォーマットとしては、例えば４８０ｉ、４８０ｐ、５７６ｉ、５７６ｐ、７２０ｐ、１０８０ｉなどがあり、音声フォーマットとしては、ＡＡＣ、ＰＣＭ、ＡＣ３などが挙げられるが、映像音声装置によっては全てのフォーマットに対応しているわけではない。
【０００４】
このため、映像音声信号入出力装置を映像音声再生装置に接続する際には、各映像音声信号入出力装置が出力可能なフォーマットと、映像音声再生装置が受信し再生可能なフォーマットを比較して設定するという機器設定作業が必要であった。
【０００５】
この課題を解決するひとつの方法として、映像音声信号入出力装置の装置設定を容易にする方法が提案されている（例えば特許文献１）
しかしながら、近年ではデジタル放送受信機や、ＤＶＤ録画再生装置、ブルーレイディスク録画再生装置、ハードディスクレコーダなど、多種の映像音声信号入出力装置が開発されており、１台の映像音声再生装置に対して複数の装置を接続することも多くなっている。
【０００６】
このため、一つの映像音声再生装置に対して複数の映像音声信号入出力装置を接続する際には、映像音声再生装置が対応するフォーマットを比較して、各映像音声信号入出力装置について別個に前述の装置設定作業を行う必要があるという未解決の問題があった。
【特許文献１】特開２００５−１６７８９５号公報
【発明の開示】
【発明が解決しようとする課題】
【０００７】
映像音声信号入出力装置と映像音声再生装置とを接続する場合においては、映像音声再生装置に最適な設定を行うことでよりよい映像音声を鑑賞可能となるが、従来は複数の映像音声信号入出力装置を接続する場合には映像音声信号入出力装置ごとに設定操作を行う必要があり、利便性が高いとは言えなかった。
【課題を解決するための手段】
【０００８】
上記課題を鑑みて本発明の映像音声信号入出力装置は、映像もしくは音声を含む信号を入出力する通信手段と、前記信号を出力する際の映像もしくは音声のフォーマット情報を、前記通信手段を用いて送受信するフォーマット情報通信手段と、前記フォーマット情報通信手段を通じて取得したフォーマット情報を用いて、出力時のフォーマット情報を決定するフォーマット情報管理手段とを有する。
【発明の効果】
【０００９】
映像音声信号入出力装置ごとに設定操作を行う手間を省き、よりユーザの利便性の高い映像音声ネットワークを構築することが可能となる。
【発明を実施するための最良の形態】
【００１０】
（第１の実施の形態）
本発明で提案する映像音声信号入出力装置、映像音声装置ネットワークおよび装置設定方法の第１の実施形態を以下に説明する。
【００１１】
図１は本発明の第１の実施形態である映像音声信号入出力装置１００の構成のブロック図を示す。なお、図１では本発明で提案する映像音声信号入出力装置１００について、ある一つの映像音声再生装置１５０と接続して映像音声を出力する場合を示している。ここでは、このように２台以上の装置が相互に接続した状態を映像音声装置ネットワークと呼ぶ。
【００１２】
アンテナによって受信された放送電波は、受信手段１０１において指定されたチャンネルの周波数信号が抽出され、復調手段１０２においてデジタル映像・音声信号に復調された後、変換手段１０３によって所定のフォーマットに変換された後に、通信手段１０４から映像音声再生装置１５０に出力される。
【００１３】
受信手段１０１はアンテナから入力される放送信号の中から、ＣＰＵ１１０によって指定されたチャンネルの周波数信号を取得し、復調手段１０２に周波数信号を伝送する。
【００１４】
復調手段１０２は受信手段１０１から出力される周波数信号を受信し、周波数信号から映像音声の信号や番組に関する情報などを取得しデジタル情報に復調する。
【００１５】
変換手段１０３は復調手段１０２によってデジタル情報に復調された映像音声の信号を任意のフォーマットに変換する。このフォーマットの変換については例えば復調手段によって復調された映像信号が１０８０ｉのフォーマット形式であった場合に４８０ｉのフォーマットに変換するような場合であり、例えば復調手段によって復調された音声信号がＡＣ３フォーマットであった場合にＰＣＭフォーマットに変換するような場合が考えられる。
【００１６】
通信手段１０４は外部装置と通信を行う際に信号の変換や送受信を行う手段であり、外部端子を通じて接続された外部の他の装置と映像音声やデータの通信が可能である。
【００１７】
ＣＰＵ１０５は映像音声信号入出力装置１００全体のシステムを管理するマイクロコンピュータであり、各手段およびメッセージの制御を行う。
【００１８】
出力可能フォーマット通信手段１０６（図中では出力可能Ｆ通信手段と記載）は通信手段１０４を通じて外部装置との通信が可能であり、特に接続先の外部装置が再生可能なフォーマットに関する情報を取得する。
【００１９】
出力可能フォーマット管理手段１０７（図中では出力可能Ｆ管理手段と記載）は出力可能フォーマット通信手段１０６からの出力可能フォーマット情報や、ユーザインターフェースによって指定された出力フォーマットの選択によって、出力可能なフォーマットを整理する機能を有し、整理した結果は映像音声信号入出力装置１００が出力可能な出力可能フォーマット情報１０８（図中では出力可能Ｆ情報と記載）として、記憶領域に格納し管理する。
【００２０】
ＧＵＩ描画手段１０９は、ＣＰＵからの指示によって出力する映像中にＧＵＩを表示し、またＧＵＩに関連した音声を映像音声信号に重畳することが可能である。
【００２１】
映像音声再生装置１５０は、映像音声信号やデータの送受信が可能な通信手段１５１、通信手段によって入手した映像音声信号を再生する再生手段１５２を備えており、また再生手段１５２が再生可能なフォーマットのリストを再生可能フォーマット情報１５３（図中では再生可能Ｆ情報と記載）として内部に保持している。
【００２２】
この映像音声信号入出力装置１００と映像音声再生装置１５０の接続を詳しく説明した図を図２に示す。なお、以降は接続方法の具体的な説明のために、ＨＤＭＩ規格に準拠した接続を用いた場合を一例として説明する。
【００２３】
ＨＤＭＩ規格とはＨｉｇｈ−Ｄｉｆｉｎｉｔｉｏｎ  Ｍｕｌｔｉｍｅｄｉａ  Ｉｎｔｅｒｆａｃｅ規格のことを指し、松下・ＳＯＮＹ・日立・東芝・Ｐｈｉｌｉｐｓ・トムソン・Ｓｉｌｉｃｏｎ  Ｉｍａｇｅの７社によって２００２年１２月に策定した規格である。このＨＤＭＩ規格ではデジタルデータ以外に付帯情報の入出力を行うことが可能である。
【００２４】
この付帯情報の１つとしては、例えば映像音声再生装置が入力信号として受信可能な映像・音声に関する情報があり、この情報のフォーマットとしてはＶＥＳＡで策定されたＥＤＩＤ規格が一つの例として挙げられる。ＥＤＩＤとはＥｘｔｅｎｄｅｄ  Ｄｉｓｐｌａｙ  Ｉｄｅｎｔｉｆｉｃａｔｉｏｎ  Ｄａｔａ規格を意味しており、ＥＩＡ／ＣＥＡ−８６１Ｂ規格で規定されるデータ形式を用いている。
【００２５】
図２では映像音声信号入出力装置１００において内部の通信手段１０４と同等の手段としてＨＤＭＩ送信手段２１０を備えた状態を示している。
【００２６】
このＨＤＭＩ送信手段２１０は映像音声を出力するためのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）規格に基づいたＴＭＤＳ信号線と、設定情報やステータス情報を送受信するためのＤＤＣ（Ｄｉｓｐｌａｙ  Ｄａｔａ  Ｃｈａｎｎｅｌ）信号線と、ＣＥＣ（Ｃｏｎｓｕｍｅｒ  Ｅｌｅｃｔｒｏｎｉｃｓ  Ｃｏｎｔｒｏｌ）信号線を映像音声再生装置１５０などの外部装置との接続のために有する。
【００２７】
まず、ＴＭＤＳ信号線を経由した映像信号の流れについて説明する。
【００２８】
ＨＤＭＩ送信手段２１０は変換手段１０３から映像音声信号を受信することが可能であり、受信した映像音声信号はＨＤＭＩ送信手段２１０内に備えられたＨＤＭＩトランスミッタ２１１を通じＴＭＤＳ信号線から出力される。この時に出力するフォーマットはＣＰＵにより指示されている。
【００２９】
ＴＭＤＳ信号線から出力された映像音声信号は、映像音声再生装置１５０側に備えられたＨＤＭＩ受信手段２５０に入力される。ＨＤＭＩ受信手段２５０に入力された映像音声信号はＨＤＭＩレシーバ２５１によって受信され、再生手段１５２によって実際の映像音声として再生される。
【００３０】
次に、ＤＤＣ信号線を通じたＥＤＩＤ情報取得と、映像音声信号入出力装置１００における出力可能フォーマット管理方法について図２から図４を用いて説明する。
【００３１】
ＤＤＣ信号線は設定情報やステータス情報を送受信するために使用される信号線であることは前述したが、ひとつの設定情報としてＥＤＩＤ情報の送受信がある。ＥＤＩＤ情報はテレビやディスプレイなどの映像音声再生装置が装置内に保有するデータを意味し、ＥＤＩＤ情報を所有する映像音声再生装置が再生可能なフォーマットを定義している。
【００３２】
ＥＤＩＤ情報は内部に映像音声再生装置は画面に表示可能、もしくは入力可能な映像フォーマットがＤｅｔａｉｌｅｄ  ｔｉｍｉｎｇ  ｄａｔａ  ｄｅｓｃｒｉｐｔｏｒ、Ｓｈｏｒｔ  ｖｉｄｅｏ  ｄｅｓｃｒｉｐｔｏｒによって記載されている。
【００３３】
本実施例における映像音声再生装置１５０が所有するＥＤＩＤ情報を、説明のために簡略化したものを図３に示す。図３におけるＥＤＩＤ情報には４８０ｉ、４８０ｐ、１０８０ｉが記載されており、これは本実施例での映像音声再生装置１５０が４８０ｉ、４８０ｐ、１０８０ｉの映像フォーマットを受信し、再生可能であることを明示するものである。音声に関するフォーマットについても、同様に対応するフォーマット情報がＥＩＡ／ＣＥＡ−８６１Ｂ規格で定められたフォーマットで記載されている。
【００３４】
次に、図４は映像音声信号入出力装置１００が映像音声再生装置１５０からＥＤＩＤ情報２６０を取得して出力するフォーマットを決定し、映像音声信号入出力装置１００から映像音声再生装置１５０に映像音声を出力する際の手順を示したフローチャートである。
【００３５】
ユーザが映像音声信号入出力装置１００と映像音声再生装置１５０とをＨＤＭＩ規格のケーブルで接続すると、ケーブル接続後の所定の接続処理（Ｓ４０１）を経て動作可能となった後、映像音声信号入出力装置が映像音声再生装置からＥＤＩＤ情報２６０を読み出す（Ｓ４０２）。読み出されたＥＤＩＤ情報２６０は出力可能フォーマット通信手段１０６を経由して出力可能フォーマット管理手段１０７に送られる。
【００３６】
次に出力可能フォーマット管理手段１０７は受信したＥＤＩＤ情報２６０を解析した結果、得られる映像音声再生装置１５０が再生可能なフォーマットと、映像音声信号入出力装置１００の変換手段１０３が出力可能なフォーマットとの比較を行って、映像音声信号入出力装置１００が出力可能なフォーマットの判定を行う（Ｓ４０３）。
【００３７】
図５にＥＤＩＤ情報２６０から映像音声再生装置１５０が対応するフォーマットを取得した結果５０１と、映像音声信号入出力装置１００の変換手段１０３が出力可能なフォーマット５０２とを比較して、対応出力フォーマット判定を行った結果（対応フォーマット判定結果５０３）を示す。
【００３８】
次に、映像音声信号入出力装置１００はＳ４０３における使用可能フォーマット判定結果を使用して、ユーザがフォーマットを決定するためのＧＵＩを表示する（Ｓ４０４）。このＧＵＩにはＳ４０３によって得られた対応フォーマットを表示し、ユーザは対応フォーマットの中からどのフォーマットを使用するかを選択することが可能である。このＧＵＩの一例を図６に示す。次に、このＧＵＩに対してユーザが希望する出力フォーマットを選択する操作を行なう。この選択操作によりユーザは対応フォーマット判定結果５０３の中から希望するフォーマットを選択する（Ｓ４０４）。選択はリモコンのキー操作などの入力装置によって行なわれる。
【００３９】
ユーザの選択により出力フォーマットを決定し（Ｓ４０５）、出力可能フォーマット管理手段１０７はユーザの指定した結果をＣＰＵ１０５より受け取り、対応フォーマット判定結果５０３に追加して記録する（Ｓ４０６）。
【００４０】
図７は出力可能フォーマット管理手段１０７が対応フォーマット判定結果５０３に対して、ユーザの指定結果により出力フォーマットを決定した様子を示す図である。図７中のこの出力可能フォーマット情報７０１により映像音声信号入出力装置１００と映像音声再生装置１５０との接続では１０８０ｉのフォーマットが使用可能であることが明示される。
【００４１】
この出力可能フォーマット情報７０１は映像音声信号入出力装置１００内の記憶領域に保存される（Ｓ４０６）
以上のＳ４０１からＳ４０６の処理を経て、映像音声信号入出力装置１００と映像音声再生装置１５０との接続に使用するフォーマットが決定される。この出力可能フォーマット情報７０１に使用可能と記載されたフォーマットは映像音声信号入出力装置１００から出力することが可能な出力可能フォーマットであり、映像信号の受信を行った際には変換手段１０３によって出力可能フォーマットに変換される。
【００４２】
以上は主に映像フォーマットに関する情報について一例を用いて記載したが、更に詳細な映像フォーマットに関する決定や音声フォーマットについても同様の手順で出力可能フォーマット情報７０１に記録される。
【００４３】
次に映像音声信号入出力装置と映像音声再生装置からなる映像音声装置ネットワークにおいて、２台目の映像音声信号入出力装置を接続する際の構成を図８に示す。
【００４４】
図８では１台の映像音声再生装置と１台の映像音声信号入出力装置がすでに接続されていて動作可能な状態にある映像音声装置ネットワークがあり、さらにもう１台の映像音声信号入出力装置を接続しようとする状態を示している。
【００４５】
なお、ここでは説明のために既に接続されていた映像音声信号入出力装置を第１の映像音声信号入出力装置８０１とし、これから接続を行おうとする映像音声信号入出力装置を第２の映像音声信号入出力装置８０２とする。またこの場合の映像音声再生装置１５０は２台以上の映像音声信号入出力装置を同時に接続可能な映像音声再生装置とする。
【００４６】
次に図９は図８の映像音声装置ネットワークの様子を、説明のためにＣＥＣ信号線のみについて示した図である。
【００４７】
図９に示す映像音声装置ネットワークには既に映像音声装置ネットワークに接続された第１の映像音声信号入出力装置８０１と映像音声再生装置１５０とが接続された状態にある。この図９に示す状態においては第１の映像音声信号入出力装置８０１と映像音声再生装置１５０とは図４に示す出力フォーマット決定手順により映像音声信号入出力装置８０１が出力可能なフォーマットが決定されている状態にある。
【００４８】
この状態の映像音声装置ネットワークに第２の映像音声信号入出力装置８０２を接続すると、ＨＤＭＩ規格に従い第２の映像音声信号入出力装置８０２と映像音声再生装置１５０を繋ぐＣＥＣ信号線は、第１の映像音声信号入出力装置８０１と映像音声再生装置１５０を繋ぐＣＥＣ信号線と電気的に同一の信号線上に存在することとなる。つまり、第１の映像音声信号入出力装置８０１と第２の映像音声信号入出力装置８０２とは、双方向の通信を行うことが可能となる。この状態の映像音声装置ネットワークの様子を図１０に示す。
【００４９】
図１０の状態にある映像音声装置ネットワークおいて、第１の映像音声信号入出力装置８０１が第２の映像音声信号入出力装置８０２とＣＥＣ線を通じて双方向の通信を行う様子について、図１１を用いて説明する。
【００５０】
図１１は映像音声装置ネットワーク上の２台の映像音声装置が双方向の通信を行って第２の映像音声信号入出力装置８０２が出力可能なフォーマットの判定を行う手順を示したフローチャートである。
【００５１】
第２の映像音声信号入出力装置８０２が映像音声装置ネットワークに接続されると、第２の映像音声信号入出力装置８０２はＨＤＭＩ規格に準じ、ネットワークへの接続処理を行う（Ｓ１００１）。次に第２の映像音声信号入出力装置８０２は映像音声装置ネットワーク上に存在する同種のデバイスを検索する（Ｓ１００２）。
【００５２】
このデバイス種別は録画機器やオーディオシステムなど、映像音声信号入出力装置の種別ごとに分類されたデバイス種別であり、例えばＨＤＭＩ規格で定められた機器の論理アドレスなどを利用しても良い。図１４に一例としてＨＤＭＩ規格で定められた機器の論理アドレスを示す。例えば、いま第２の映像音声信号入出力装置８０２がＳＴＢであった場合、この第２の映像音声信号入出力装置８０２が映像音声装置ネットワークに接続された後の手順において、この映像音声装置ネットワークに対して論理アドレス３、６および７を使用する機器があるか否かを検索する。この実施例においては第１の映像音声信号入出力装置８０１が第２の映像音声信号入出力装置８０２と同種のデバイスに該当する。
【００５３】
この結果として映像音声ネットワーク上に第２の映像音声信号入出力装置８０２と類似の機器が存在した場合には、第２の映像音声信号入出力装置８０２は類似の機器である第１の映像音声信号入出力装置８０１に対して、第１の映像音声信号入出力装置８０１が保有する出力可能フォーマット情報を要求するコマンドを、接続されたＣＥＣ線を通じて発信する（Ｓ１００３）。
【００５４】
第１の映像音声信号入出力装置８０１は第２の映像音声信号入出力装置８０２からの出力可能フォーマット情報要求コマンドを受信すると、第１の映像音声信号入出力装置８０１内に保有する出力可能フォーマット情報を、ＣＥＣ線を通じて第２の映像音声信号入出力装置８０２に送信する（Ｓ１００４）。この通信内容の一例を図１２に示す。第１の映像音声信号入出力装置８０１からは第１の映像音声信号入出力装置８０１が出力可能フォーマット管理手段８１２に保存している出力可能フォーマット情報８１３が、出力可能フォーマット通信手段８１１およびＣＥＣ通信手段８１０を用いて出力可能フォーマット情報転送データ１２０１として送信される。一方、第２の映像音声信号入出力装置８０２はＣＥＣ通信手段８２０を通じて出力可能フォーマット情報転送データ１２０１を受信し、出力可能フォーマット通信手段８２１によって出力可能フォーマット管理手段８２２に転送される。出力可能フォーマット情報転送データ１２０１中には、第１の映像音声信号入出力装置８０１が現在使用している出力フォーマット１２０２、および使用可能な出力フォーマット１２０３が存在する。
【００５５】
次に出力可能フォーマット管理手段８２２では、受信した出力可能フォーマット情報のうち、第１の映像音声信号入出力装置８０１が現在使用している出力フォーマット１２０２のフォーマット情報が、第２の映像音声信号入出力装置８０２が出力可能なフォーマットであるか否かを判定する（Ｓ１００５）。
【００５６】
比較の結果、第１の映像音声信号入出力装置８０１が現在使用している出力フォーマット１２０２のフォーマット情報について、第２の映像音声信号入出力装置８０２においても使用可能であった場合、第２の映像音声信号入出力装置８０２は第１の映像音声信号入出力装置８０１から取得したフォーマット情報を出力フォーマットに決定し（Ｓ１００７）、第２の映像音声信号入出力装置８０２から映像音声再生装置１５０に出力する際のフォーマットとして設定し（Ｓ１００８）、第２の映像音声信号入出力装置８０２は映像音声再生装置１５０への映像音声出力の開始が可能となる。
【００５７】
なお、第２の映像音声信号入出力装置８０２は、図１３に示すようにＯＳＤ画面上に第１の映像音声信号入出力装置８０１で使用している出力フォーマットを使用するか否かを問いかけるＧＵＩを表示し、ユーザへの確認を行った後に（Ｓ１００６）、出力可能フォーマット管理手段８２２に出力フォーマットとして設定してもよい。
【００５８】
以上のように、本実施例においてはＨＤＭＩ接続を例として複数の映像音声信号入出力装置を接続する場合に、映像音声信号入出力装置ごとに設定操作を行う手間を省き、よりユーザの利便性の高い映像音声ネットワークを提供する。
【００５９】
なお、本実施例では説明のために映像音声信号の取得に放送電波を使用する例を用いたが、これはＤＶＤなどのメディアに記録された映像音声信号を再生する映像音声信号入出力装置であってもよく、またインターネット回線・無線通信などを使用して映像音声信号を受信する映像音声信号入出力装置であってもよい。
【００６０】
また、本実施例においては一例としてＨＤＭＩ接続を用いた映像音声ネットワークとＣＥＣ線を用いた出力映像フォーマットの決定方法を説明したが、本発明で説明する出力映像フォーマット決定方法はＨＤＭＩ接続に限定したものではなく、有線・無線通信を用いた出力映像フォーマットであってもよい。
【産業上の利用可能性】
【００６１】
複数の映像音声信号入出力装置を映像音声再生装置に接続する場合において、映像音声信号入出力装置間で設定情報をやりとりすることによって、映像音声信号入出力装置ごとに設定操作を行う手間を省き、よりユーザの利便性の高い映像音声ネットワークを構築することができ、有用である。
【図面の簡単な説明】
【００６２】
【図１】本発明の第１の実施形態における映像音声信号入出力装置および映像音声再生装置の構成を示すブロック図
【図２】映像音声信号入出力装置と映像音声再生装置との接続を説明する図
【図３】映像音声再生装置が所有するＥＤＩＤ情報を説明する図
【図４】出力フォーマット決定手順を示すフローチャート
【図５】対応出力フォーマット判定結果を示す図
【図６】対応フォーマット決定ＧＵＩを示す図
【図７】出力フォーマットの決定を示す図
【図８】第２の映像音声信号入出力装置を接続した映像音声装置ネットワークの図
【図９】映像音声装置ネットワークに第２の映像音声信号入出力装置を接続する際の図
【図１０】映像音声装置ネットワークの構成を示す図
【図１１】第２の映像音声信号入出力装置が出力可能なフォーマットの判定手順を示すフローチャート
【図１２】出力可能フォーマット情報転送データを示す図
【図１３】出力フォーマットを使用するか否かを問いかけるＧＵＩを示す図
【図１４】HDMIで定められた機器の論理アドレスを示す図
【符号の説明】
【００６３】
１００    映像音声信号入出力装置
１０１    受信手段
１０２    復調手段
１０３    変換手段
１０４    通信手段
１０５    ＣＰＵ
１０６    出力可能フォーマット通信手段
１０７    出力可能フォーマット管理手段
１０８    出力可能フォーマット情報
１５０    映像音声再生装置
１５１    通信手段
１５２    再生手段
１５３    再生可能フォーマット情報
２１０    ＨＤＭＩ送信手段
２１１    ＨＤＭＩトランスミッタ
２１２、２５２    ＣＥＣ通信制御手段
２５０    ＨＤＭＩ受信手段
２５１    ＨＤＭＩレシーバ
２６０    ＥＤＩＤ情報
８０１    第１の映像音声信号入出力装置
８０２    第２の映像音声信号入出力装置
８１０、８２０    ＣＥＣ通信手段
８１１、８２１    出力可能フォーマット通信手段
８１２、８２２    出力可能フォーマット管理手段
８１３    出力可能フォーマット情報
【図１】
2008053772.tif 000003
【図２】
2008053772.tif 000004
【図３】
2008053772.tif 000005
【図４】
2008053772.tif 000006
【図５】
2008053772.tif 000007
【図６】
2008053772.tif 000008
【図７】
2008053772.tif 000009
【図８】
2008053772.tif 000010
【図９】
2008053772.tif 000011
【図１０】
2008053772.tif 000012
【図１１】
2008053772.tif 000013
【図１２】
2008053772.tif 000014
【図１３】
2008053772.tif 000015
【図１４】
2008053772.tif 000016